(57)【要約】【課題】  本発明は、システムの効率低下を回避しつつ、レーザ燃焼支援装置を用いた燃焼安定性の向上が可能なガスタービン燃焼器を提供することを目的とする。【解決手段】  レーザ光を発射するレーザ発振器と、前記レーザ発振器から発射されるレーザ光を導く光ファイバケーブルと、前記光ファイバケーブルにより導かれたレーザ光を燃焼室内に位置する焦点に集光させる光学系とを有するレーザ燃焼支援装置と、前記焦点に向かって燃料を噴射する冷却用燃料流路とを備え、前記光学系が前記冷却用燃料流路内に配置されていることを特徴とする。【選択図】  図１
2014231966.tif 000002
【特許請求の範囲】
【請求項１】
燃焼室に燃料と空気を供給するバーナを備えた燃焼器であって、
レーザ光を発射するレーザ発振器と、前記レーザ発振器から発射されるレーザ光を導く光ファイバケーブルと、前記光ファイバケーブルにより導かれたレーザ光を前記燃焼室内に位置する焦点に集光させる光学系とを有するレーザ燃焼支援装置と、
前記焦点に向かって燃料を噴射する冷却用燃料流路とを備え、
前記光学系が前記冷却用燃料流路内に配置されていることを特徴とする燃焼器。
【請求項２】
請求項１に記載の燃焼器であって、
前記バーナは、前記燃焼室に空気および燃料を供給する複数の空気孔が設けられた空気孔プレートを備え、
前記空気孔はバーナ中心軸に対して周方向に傾斜した傾斜角を有することを特徴とする燃焼器。
【請求項３】
請求項１に記載の燃焼器であって、
前記バーナは、燃料と空気を混合して前記燃焼室に供給する予混合路と、前記予混合路に燃料を供給する燃料流路と、前記燃料流路の周囲に位置し空気に旋回をかけて前記予混合路に供給する旋回器とを備えた燃焼器において、前記バーナの燃料流路内に組み込まれたレーザ燃焼支援装置の集光光学系が燃料流により冷却されることを特徴とする燃焼器。
【請求項４】
請求項１から３の何れか一項に記載の燃焼器であって、
前記冷却用燃料流路が前記バーナの中心軸上に沿って配置され、
前記光学系の焦点が前記バーナの中心軸上に位置することを特徴とする燃焼器。
【請求項５】
請求項１から４の何れか一項に記載の燃焼器であって、
前記光学系の温度を測定する温度センサと、
前記冷却用燃料流路を流下する冷却用燃料の流量を調整する冷却用燃料流量調整弁と、
前記温度センサからの測定信号を受信し、前記冷却用燃料流量調整弁の開度を制御する信号を送信できる燃料流量制御装置とを備え、
前記燃料流量制御装置が、前記光学系の温度を前記光学系の耐熱温度よりも小さい任意の目標温度となるように、前記冷却用燃料流量調整弁の開度を制御することを特徴とする燃焼器。
【請求項６】
請求項５に記載の燃焼器において、
該燃焼器の燃焼状態に応じて前記目標温度を設定する手段を備えたことを特徴とする燃焼器。
【請求項７】
請求項１から６の何れか一項に記載の燃焼器であって、
バーナを複数個組み合わせて構成されるマルチバーナを備え、
前記マルチバーナを構成するバーナのうち一部もしくは全てのバーナが、前記レーザ燃焼支援装置の前記光学系が配置された前記冷却用燃料流路を備えたことを特徴とする燃焼器。
【請求項８】
燃焼室に燃料と空気を供給するバーナと、
レーザ光を発射するレーザ発振器と、前記レーザ発振器から発射されるレーザ光を導く光ファイバケーブルと、前記光ファイバケーブルにより導かれたレーザ光を前記燃焼室内に位置する焦点に集光させる光学系とを有するレーザ燃焼支援装置と、
前記焦点に向かって燃料を噴射する冷却用燃料流路とを備え、
前記光学系が前記冷却用燃料流路内に配置された燃焼器の運転方法であって、
前記光学系の温度が耐熱温度以上の温度とならないように、前記冷却用燃料流路に供給する冷却用燃料の流量を制御することを特徴とする燃焼器の運転方法。
【請求項９】
請求項８に記載の運転方法であって、
燃焼器の燃焼状態に応じて前記光学系の温度を変化させることを特徴とする燃焼器の運転方法。
【発明の詳細な説明】
【技術分野】
【０００１】
本発明は、燃焼支援装置を備えた燃焼器、およびその運転方法に関する。
【背景技術】
【０００２】
環境保護の観点からガスタービンにはＮＯｘ排出量のさらなる低減が求められている。ガスタービン燃焼器のＮＯｘ排出量低減のための一方策として、予混合燃焼器があげられるが、この場合、火炎が予混合器内部に入り込み燃焼器を焼損させる逆火現象が懸念される。
【０００３】
特許文献１には、燃焼室に燃料を供給する燃料ノズルと、この燃料ノズルの下流側に位置し、空気を供給する空気孔とを多数備え、燃料ノズルの噴出孔と空気孔とを同軸上に配置した燃料燃焼用ノズルから構成される燃焼器が開示されている。
【０００４】
特許文献２には、機関の燃焼室内にレーザを発振するレーザ発振器と、該レーザ発振器の発振制御を行う発振制御装置とを具備し、上記燃焼室内に複数回のレーザ発振を行って機関の点火を行うレーザ点火装置が開示されている。
【先行技術文献】
【特許文献】
【０００５】
【特許文献１】特開２００３−１４８７３４号公報
【特許文献２】特開２００９−１２７５８４号公報
【発明の概要】
【発明が解決しようとする課題】
【０００６】
ガスタービンは、着火から定格負荷まで幅広い運転条件を安定に運転させるとともに、ＮＯｘ排出量の低減が必要である。特許文献１ではバーナを複数配置したマルチバーナの構成や燃料ノズルによる混合促進構造が開示されているが、ＮＯｘ排出量をさらに低減するためには燃料と空気をより一層均一化する必要がある。しかし、その場合、燃焼安定性が低下する可能性がある。
【０００７】
燃焼安定性の改善のための一方策として、燃焼支援装置の導入が挙げられる。このような燃焼支援装置としては、特許文献２で開示されているようなレーザを用いたものが一手段として考えられる。しかし、この場合、レーザ燃焼支援装置の一部を構成する光学系は、高温となる燃焼器構造に接したり燃焼空気流に曝されたりする。光学系はレンズやミラー、光ファイバなどの光学部品で構成されるが、これらの光学部品は高温の燃焼器や燃焼空気には耐えることができない。したがって、光学系を燃焼器へ組み込むためには冷却する手段が必要となる。しかし、冷却のために別に補機を加えるとすると、それによりシステム全体が複雑になることや、その補機が消費するエネルギによりシステム全体の効率が低下する可能性がある。
【０００８】
そこで本発明は、システムの効率低下を回避しつつ、レーザ燃焼支援装置を用いた燃焼安定性の向上が可能な燃焼器を提供することを目的とする。
【課題を解決するための手段】
【０００９】
本発明は、レーザ光を発射するレーザ発振器と、前記レーザ発振器から発射されるレーザ光を導く光ファイバケーブルと、前記光ファイバケーブルにより導かれたレーザ光を燃焼室内に位置する焦点に集光させる光学系とを有するレーザ燃焼支援装置と、前記焦点に向かって燃料を噴射する冷却用燃料流路とを備え、前記光学系が前記冷却用燃料流路内に配置されていることを特徴とする。
【発明の効果】
【００１０】
本発明によれば、システムの効率低下を回避しつつ、レーザ燃焼支援装置を用いた燃焼安定性の向上が可能な燃焼器を提供することができる。
【図面の簡単な説明】
【００１１】
【図１】本発明の実施例１におけるガスタービン燃焼器を示した図である。
【図２】本発明の実施例１におけるガスタービン燃焼器の、負荷と燃料流量の関係を表す概念図である。
【図３】本発明の実施例２におけるガスタービン燃焼器を示した図である。
【図４】本発明の実施例３におけるレーザ燃焼支援装置を組み込んだガスタービン燃焼器の拡大断面図である。
【図５】集光光学系の温度と焦点位置の関係を表す概念図である。
【図６】本発明の実施例５におけるガスタービン燃焼器を示した図である。
【図７】実施例１のガスタービン燃焼器が適用されるガスタービンプラントの概略構成を示すプラントの系統図である。
【発明を実施するための形態】
【００１２】
以下、各実施例について説明する。
【実施例１】
【００１３】
図７は発電用ガスタービンプラントの全体構成を表すシステム図である。図７において、発電用ガスタービンは、吸い込み空気１５を加圧して高圧空気１６を生成する圧縮機１と、圧縮機１で生成した高圧空気１６とガス燃料５０とを燃焼させて高温燃焼ガス１８を生成する燃焼器２と、燃焼器２で生成した高温燃焼ガス１８によって駆動されるタービン３と、タービン３の駆動によって回転され電力を発生させる発電機８と、圧縮機１、タービン３及び発電機８を一体に連結するシャフト７を備える。
【００１４】
そして、燃焼器２は、ケーシング４の内部に格納されている。また、燃焼器２は、その頭部にバーナ６を備え、このバーナ６の下流側となる燃焼器２の内部に、高圧空気と燃焼ガスとを隔てる概略円筒状の燃焼器ライナ１０を備える。
【００１５】
この燃焼器ライナ１０の外周には、高圧空気を流下させる空気流路を形成する外周壁となるフロースリーブ１１が配設されている。フロースリーブ１１は燃焼器ライナ１０よりも直径が大きく、燃焼器ライナ１０とほぼ同心円の円筒状に配設されている。また、燃焼器ライナ１０の下流側には、燃焼器２の燃焼室５で発生した高温燃焼ガス１８をタービン３に導くための尾筒内筒１２が配設されている。また、尾筒内筒１２の外周側に、尾筒外筒１３が配設されている。
【００１６】
吸い込み空気１５は、圧縮機１によって圧縮された後に高圧空気１６となり、ガスタービン定格負荷では圧力比によっては４００℃以上の高温となる。高圧空気１６は、ケーシング４内に充満した後、尾筒内筒１２と尾筒外筒１３の間の空間に流入し、尾筒内筒１２を外壁面から対流冷却する。さらに高圧空気１６は、フロースリーブ１１と燃焼器ライナ１０との間に形成された環状の流路を通って燃焼器の頭部に向かって流れる。高圧空気１６は流れる途中で、燃焼器ライナ１０の対流冷却に使用される。
【００１７】
また、高圧空気１６の一部は、燃焼器ライナ１０に設けられた多数の冷却孔から燃焼器ライナ１０内へその内壁面に沿うように噴き出て、冷却空気膜を形成し、燃焼器ライナ１０を高温の燃焼ガス１８から保護し冷却する。高圧空気１６のうち燃焼器ライナ１０の冷却に使用されなかった残りの燃焼用空気１７は、燃焼室５の上流側壁面に位置する空気孔プレート３１に設けられた多数の空気孔３２から燃焼室５に流入する。
【００１８】
多数の空気孔３２から燃焼器ライナ１０に流入した燃焼用空気１７は、燃料ノズル２６から噴出される燃料とともに、燃焼室５で燃焼して高温燃焼ガス１８を生成する。この高温燃焼ガス１８は尾筒内筒１２を通じてタービン３に供給される。高温燃焼ガス１８は、タービン３を駆動した後に排出されて、排気ガス１９となる。
【００１９】
タービン３で得られた駆動力は、シャフト７を通じて圧縮機１及び発電機８に伝えられる。タービン３で得られた駆動力の一部は、圧縮機１を駆動して空気を加圧し高圧空気を生成する。また、タービン３で得られた駆動力の他の一部は、発電機８を回転させて電力を発生させる。
【００２０】
バーナ６は燃料系統５１、５２の複数の燃料系統を備える。それぞれの燃料系統は燃料流量調整弁２１、２２を備えており、各燃料系統の流量は燃料流量調整弁で調節され、ガスタービンプラント９の発電量が制御される。また複数の燃料系統に分岐する上流側には、燃料を遮断するための燃料遮断弁２０が備えられている。
【００２１】
図１は、第一の実施例のガスタービン燃焼器を示す図である。
【００２２】
本実施例のバーナ６は、多数の燃料ノズル２６と、燃料を多数の燃料ノズル２６に分配する燃料ノズルヘッダ２４と、空気および燃料が通過する空気孔３２が配置された空気孔プレート３１から構成される。なお、本実施例では、空気孔３２は燃料ノズルに１対１に対応して配置されている。また、バーナ６の空気孔３２は、バーナ中心軸に対して周方向に傾斜した傾斜角を備えており、バーナの下流に旋回流４０を形成し、旋回流４０で生じた循環流４１により空気孔プレートから浮き上がった火炎４２を形成する。浮き上がり火炎４２は、空気孔プレート３１に火炎が付着しないため、空気孔プレート３１の加熱を抑制できるという利点がある。
【００２３】
本実施例では、安定した燃焼を可能にするために、バーナにレーザ燃焼支援装置を組み込んでいる。レーザ燃焼支援装置は、集光光学系を用いて燃焼室内にレーザ光を焦点に集光し、エネルギを集中させ高温な領域を作ることにより、その点を基部として浮き上がり火炎を安定に保持させ、燃焼を安定化する。
【００２４】
本実施例におけるレーザ燃焼支援装置は、レーザ発振器６１、光ファイバケーブル６２、レーザ集光光学系６３から構成される。レーザ発振器６１は、ガスタービン燃焼器の外部に設置され、レーザ発振器から発射されたレーザ光６５は燃料ノズルヘッダ２４の内部を通る光ファイバケーブル６２により、バーナ６の中心軸を貫く流路に設置されたレーザ集光光学系６３に導かれる。図１においては、レーザ集光光学系６３は集光レンズ６４等で構成されるが、光ファイバケーブル６２で導かれたレーザ光６５を一点に集光させる機能を備えていれば集光レンズに限定されるものではなく、例えばミラーやプリズムなどの光学部品もしくはそれらの組み合わせで構成されてもよい。また、後述する他の実施例でも同様である。
【００２５】
本実施例では、光ファイバケーブル６２およびレーザ集光光学系６３の周りには燃料の流路が形成されており、マルチバーナ６に供給する燃料流６７が流れる構造となっている。この燃料流６７により、光ファイバケーブル６２およびレーザ集光光学系６３を、高温となるマルチバーナ６の部材および高温の燃焼用空気１７から隔離することができる。これにより、光ファイバケーブル６２やレーザ集光光学系６３といった光学系への入熱を抑制することができる。
【００２６】
また、燃料流６７の温度は、光学系の耐熱温度よりも十分に低く、ここではおよそ１００℃以下の低温を想定している。したがって、本実施例のように、光学系の周りに光学系の耐熱温度よりも低温の燃料流６７が流下する冷却用燃料流路を備えることにより、光ファイバケーブル６２やレーザ集光光学系６３といった光学系を冷却することができる。
【００２７】
また、レーザ光６５はレーザ集光光学系６３により燃焼室５内のバーナ中心軸８０上に焦点６６を結び、その点を基部として浮き上がり火炎４２が保持される。また同時に、レーザ集光光学系６３冷却に供された燃料流はバーナ中心軸８０に沿って、燃焼室５内に噴射される。これにより、焦点６６に燃料が供給されるため、レーザの強いエネルギにより燃料分子が分解して生成する活性な化学種が火炎４２に供給され、燃焼が促進され火炎４２はより安定に保持される。
【００２８】
図１に示すように、バーナ６の燃料系統は中心軸８０に近い燃料ノズルに燃料を供給する燃料系統５１とその外周の燃料ノズルに燃料を供給する燃料系統５２に分かれている。ここで、図２に本実施例に係るガスタービン燃焼器の、負荷と燃料流量の関係を表す概念図を示す。図２に示すように、本実施例の燃焼器では、バーナ中心軸に近い燃料系統５１にはガスタービン負荷によらず常に燃料が供給される。よって、バーナ中心軸を貫く流路の中にレーザ燃焼支援装置の集光光学系６３を組みこむことで、集光光学系は燃料流により常に冷却されるという利点がある。
【００２９】
以上のように、本実施例の構成によれば、集光光学系６３が冷却用燃料流路内に配置されていることにより、集光光学系６３の温度が耐熱温度以上となることを防止できるため、冷却用の補機を追加しなくても高温下においてレーザ燃焼支援装置を用いることができる。そのため、補機の追加によるシステムの複雑化や効率低下を回避しつつ、レーザ燃焼支援装置を用いた燃焼安定性の向上が可能な燃焼器を実現することができる。
【００３０】
また、冷却用燃料流路から集光光学系６３を冷却した冷却燃料流６７が焦点６６に向かって噴射されることにより、焦点近傍の燃空比を増加させることができる。これにより、レーザ燃焼支援装置による保炎を強化することができるため、単純にレーザ燃焼支援装置を組み込む場合よりも燃焼安定性を向上させることができる。
【００３１】
また、冷却用燃料流路がバーナの中心軸８０上に沿って配置され、集光光学系６３の焦点６６が燃焼室５内のバーナ中心軸８０上に位置することにより、バーナ中心部を起点とした火炎を形成することができ、燃焼安定性を更に向上させることができる。特に、本実施例では、バーナ中心軸に対して周方向に傾斜した傾斜角を有する複数の空気孔によってバーナが形成されており、旋回流４０で生じた循環流４１が生じる。そのため、バーナの中心軸８０上に沿って配置された冷却用燃料流路から冷却燃料流６７が噴射されることにより、高温の燃焼ガスを伴う循環流の熱を保炎に利用することが可能となり、バーナの燃焼安定性を相乗的に向上させることができる。
【実施例２】
【００３２】
図３に第２の実施例を示す。本実施例では、図１に示した第１の実施例のバーナ６を複数個組み合わせて１つのバーナ３５を構成するようにしたものである。このような構成とすることで、燃料系統を５１〜５４のように複数化して、ガスタービンの負荷の変化に対して柔軟に対処することができるとともに、組み合わせる数により燃焼器１缶あたりの容量の異なるものを比較的に容易に提供できる。
【００３３】
このような構成においても、バーナ３５を構成するそれぞれのバーナ６にレーザ燃焼支援装置を組み込み、その周囲に燃料の流路を形成することにより、実施例１と同様の原理で光学系の加熱の抑制や冷却を行なうことができる。なお、レーザ燃焼促進装置は組み合わせた全てのバーナに組み込んでも、一部のバーナに組み込んでもよく、燃焼器全体として必要な燃焼安定性が達成されるように適宜設定しても良い。
【実施例３】
【００３４】
図４は、実施例３におけるレーザ燃焼支援装置を組み込んだガスタービン燃焼器におけるレーザ燃焼支援装置部分の拡大断面図である。
【００３５】
レーザ集光光学系６３を構成するレンズやミラー、プリズムなどの光学部品は熱により歪みが生じ、焦点位置６６が定まらなくなる恐れがある。また、熱による歪み具合は温度により異なるため、温度の変化によって焦点位置６６が変化し、ひいては浮き上がり火炎４２が保持される位置が変化してしまう恐れがある。そして、保炎位置が意図せず変化した場合、燃焼安定性の低下やＮＯｘ排出量の増加を招く恐れがある。
【００３６】
そこで、本実施例ではこのような課題に鑑み、実施例１や実施例２の燃焼器に対し、レーザ集光光学系６３の温度が一定になるように冷却用燃料流６７の流量を制御する機能を付与したことを特徴としている。
【００３７】
本実施例の燃焼器は、冷却用燃料流６７の流量を制御する具体的な構成として、レーザ集光光学系６３の温度を測定する温度センサ６９と、冷却用燃料流量調整弁６８と、温度センサ６９からの測定信号に基づいて冷却用燃料流量調整弁６８の開度を制御する燃料流量制御装置５６を備えている。
【００３８】
次に制御内容について説明する。本実施例では、まず、温度センサ６９によりレーザ集光光学系６３の温度を測定する。温度センサ６９から送られた測定信号は燃料流量制御装置５６に送られる。燃料流量制御装置５６は、送られてきた測定信号に基づいてレーザ集光光学系６３の温度が一定となるよう冷却用燃料流量調整弁６８の開度を定め、冷却用燃料流量調整弁６８に対し開度の制御信号を送り、冷却用燃料流量調整弁６８の開度を制御する。かくして、燃料流量制御装置５６により、冷却用燃料流量は、レーザ集光光学系６３の温度が一定となるように制御される。
【００３９】
以上のように、本実施例の構成によれば、レーザ集光光学系６３の温度が耐熱温度よりも小さい任意の目標温度となるように冷却用燃料流６７の流量を制御し、レーザ集光光学系６３の焦点を目標温度に対応した任意の位置に保持することができる。これにより、例えば浮き上がり火炎４２を同じ位置に定在させることが可能となるため、より高い燃焼安定性を実現することができる。また、保炎位置が意図せず変化することに起因する燃焼安定性の低下やＮＯｘ排出量の増加を回避することもできる。
【実施例４】
【００４０】
実施例３においては、レーザ集光光学系６３の温度が一定となるように冷却用燃料流量を制御し、浮き上がり火炎４２を定在させるようにしたが、本実施例ではガスタービン燃焼器の負荷条件に応じて積極的に焦点位置を制御するものである。具体的には、本実施例では、燃料流量制御装置５６において、燃料流量調節弁２１、２２の開度から燃焼器の負荷条件を推定し、推定した負荷条件に応じた好適な焦点位置となるよう冷却用燃料流量調整弁６８の開度を制御する構成としている。
【００４１】
ガスタービン燃焼器は、負荷が低いと燃焼温度が低くなりＣＯや燃料の未燃分が発生しやすくなる。そのため、火炎はバーナにより近づけるほうが好ましい。逆に負荷が定格に近づくと燃焼温度が高くなりＮＯｘ排出量が増えることとなる。そのため、燃料と空気の混合距離を十分に確保するために火炎をバーナから遠ざけるほうが好ましい。このように、ガスタービン燃焼器は負荷条件によって、燃焼室内における燃焼状態が変化し、それに応じて浮き上がり火炎を定在させる最適な位置は異なる。
【００４２】
一方で、実施例３で説明したとおり、レーザ集光光学系の焦点位置はその温度によって変化する。レーザ集光光学系の温度と焦点位置との関係を表す概念図を図５に示す。
【００４３】
このように、あらかじめ図５に示すようなレーザ集光光学系の温度と焦点位置との関係が明らかになっていれば、燃料流量により光学系の温度を制御することで、焦点位置を積極的に変化させ、負荷条件によって変化する燃焼状態に適した位置に浮き上がり火炎を定在させることができる。
【００４４】
そこで、本実施例では、低負荷条件になるほど冷却用燃料流の流量を増加させて光学系の温度を低温に保ち、焦点位置をバーナに近づけることで火炎をバーナ近傍に形成し、高負荷条件になるほど冷却用燃料流の流量を減少させて光学系の温度を上昇させ、焦点位置をバーナから遠ざけることで火炎をバーナから遠ざける制御を行なう。これにより、低負荷条件におけるＣＯや燃料の未燃分の発生や、高負荷条件におけるＮＯｘ排出量の増加を抑制することができる。
【００４５】
なお、本実施例では燃料流量制御装置５６において燃料流量調節弁２１、２２の開度から燃焼器の負荷条件を推定しているが、ガスタービンの負荷条件等を用いても良い。また、燃料流量制御装置５６ではなく、別途設けた演算装置によって負荷条件を推定し、これに基づいて冷却用燃料流量調整弁６８の開度を制御する構成としても良い。
【００４６】
以上のように、本実施例の構成によれば、ガスタービン燃焼器の負荷条件によって変化する燃焼状態に応じて、それに適した位置に浮き上がり火炎を定在させることができる。これにより、燃焼安定性を維持しつつ、低負荷条件におけるＣＯや燃料の未燃分の発生や、高負荷条件におけるＮＯｘ排出量の増加を抑制することが可能となる。
【実施例５】
【００４７】
本実施例では、レーザ燃焼支援装置を予混合燃焼型のガスタービン燃焼器に組み込んだ場合の例を説明する。
【００４８】
図６は、本実施例における予混合バーナを示した図である。
【００４９】
予混合バーナ３５は、燃料流路３８から供給された燃料が、旋回器３６により旋回をかけられた燃焼用空気１７と予混合路３７内で急速に混合することで、燃焼室５において予混合燃焼を行うものである。本実施例では、旋回器を用いた予混合バーナの燃焼の安定化を目的に実施例１と同様なレーザ燃焼支援装置を組み込むための冷却方法を提供する。
【００５０】
実施例１と同様に、レーザ燃焼支援装置はレーザ発振器６１、光ファイバケーブル６２、レーザ集光光学系６３から構成される。レーザ発振器６１は、ガスタービン燃焼器の外部に設置される。レーザ発振器から発射されたレーザ光６５は光ファイバケーブル６２により、燃料流路３８内に組み込まれたレーザ集光光学系６３に導かれる。
【００５１】
レーザ燃焼支援装置は、集光光学系を用いて燃焼室内にレーザ光を焦点に集光し、エネルギを集中させ高温な領域を作ることにより、その点で火炎を安定に保持させ、燃焼を安定化する。このとき、集光光学系６３はその周囲の燃料流３９により、燃焼用空気および燃焼器ライナ、外筒から隔離されて入熱が抑制されると共に、燃料流３９自体により対流冷却される。
【００５２】
したがって、本実施例の構成においても、実施例１と同様に、集光光学系６３の温度が耐熱温度以上となることを防止でき、冷却用の補機を追加しなくても高温下においてレーザ燃焼支援装置を用いることができる。また、燃焼器に供給される燃料流を冷却に利用するため、冷却のために別途補機を導入することによるシステムの複雑化や補機がエネルギを消費することによるガスタービンの効率低下という問題がないという点も同様である。
【００５３】
また、実施例２のように本実施例のバーナを複数配置してマルチバーナとしても良く、実施例３や実施例４のように冷却用燃料の流量を制御する構成としても良い。このような構成とすることにより、本実施例のようなバーナであっても、各実施例で説明したのと同様の効果を得ることが可能である。
【符号の説明】
【００５４】
１  圧縮機
２  燃焼器
３  タービン
４  ケーシング
５  燃焼室
６  バーナ
７  シャフト
８  発電機
９  ガスタービンプラント
１０  燃焼器ライナ
１１  フロースリーブ
１２  尾筒内筒
１３  尾筒外筒
１５  吸い込み空気
１６  高圧空気
１７  燃焼用空気
１８  高温燃焼ガス
１９  排気ガス
２０  燃料遮断弁
２１、２２  燃料流量調節弁
２４  燃料ノズルヘッダ
２６  燃料ノズル
２７  燃料噴流
３１  空気孔プレート
３２  空気孔
３４  マルチバーナ
３５  予混合バーナ
３６  旋回器
３７  予混合路
３８  燃料流路
３９  燃料流
４０  旋回流
４１  循環流
４２  浮き上がり火炎
４３  火炎
５０〜５５  燃料
５６  燃料流量制御装置
６１  レーザ発振器
６２  光ファイバケーブル
６３  レーザ集光光学系
６４  集光レンズ
６５  レーザ光
６６  光学系焦点位置
６７  冷却用燃料流
６８  冷却用燃料流量調整弁
６９  温度センサ
８０  バーナ中心軸
【図１】
2014231966.tif 000003
【図２】
2014231966.tif 000004
【図３】
2014231966.tif 000005
【図４】
2014231966.tif 000006
【図５】
2014231966.tif 000007
【図６】
2014231966.tif 000008
【図７】
2014231966.tif 000009